(57)【要約】【課題】  電子機器を収納する内部空間へ接着剤が流れ込む虞がなく、製造コストも低減できる電子機器の防水ケースを提供すること。【解決手段】  樹脂モールド品からなる第１および第２のケース部材１１，１２の開口端部どうしを連結して構成される防水ケース１０において、第１のケース部材１１の開口端部には、係合孔１４を有する内壁部１５と、内壁部１５を包囲する外壁部１６と、両壁部１５，１６間に存して所定量の接着剤１３が充填される環状凹部１７とを設け、軸線方向に沿って係合孔１４の後端位置が外壁部１６の先端位置よりも後端側に位置しないように設定する。第２のケース部材１２の開口端部には、内壁部１５に外挿されて環状凹部１７内に没入する薄肉部１８と、薄肉部１８の後端に連続して一部が環状凹部１７に嵌入される厚肉部１９と、厚肉部１９の内周面から突出して係合孔１４にスナップ嵌合される突起部２０とを設ける。【選択図】  図２
2006019580.tif 000002
【特許請求の範囲】
【請求項１】
樹脂モールド品からなる第１のケース部材と第２のケース部材の開口端部どうしを連結して電子機器を収納する内部空間が画成される防水ケースであって、
前記第１のケース部材の前記開口端部に、周方向に沿った複数箇所に係合孔を有する筒状の内壁部と、該内壁部を包囲する筒状の外壁部と、これら内壁部および外壁部の間に存して少なくとも内底部分に接着剤が充填される環状凹部とを設けると共に、軸線方向に沿って前記係合孔の後端位置が前記外壁部の先端位置よりも後端側に位置しないように設定し、
かつ、前記第２のケース部材の前記開口端部に、前記内壁部に外挿されて前記環状凹部内に没入する筒状の薄肉部と、前記環状凹部の幅寸法と略同等の厚みを有して前記薄肉部の後端と連続し一部が前記環状凹部に挿入される筒状の厚肉部と、該厚肉部の内周面の周方向に沿った複数箇所から突出して前記係合孔にスナップ嵌合される突起部とを設けたことを特徴とする電子機器の防水ケース。
【請求項２】
請求項１の記載において、前記第２のケース部材は、前記第１のケース部材との連結時に前記突起部の傾斜面が前記内壁部の先端部に当接している段階で前記環状凹部に対する前記厚肉部の挿入が開始されるように、軸線方向に沿う該突起部と該厚肉部先端との間隔が設定されていることを特徴とする電子機器の防水ケース。
【発明の詳細な説明】
【技術分野】
【０００１】
本発明は、例えば衛星放送受信用コンバータ等の電子機器を収納するための密閉性の高い内部空間を備えた防水ケースに関する。
【背景技術】
【０００２】
衛星放送受信用コンバータのように屋外で使用される電子機器の外装ケースとしては、該電子機器を収納する内部空間の密閉性を高めた防水ケースが必要となる（例えば、特許文献１参照）。図３はこの種の防水ケースの従来例を示す説明図であり、かかる既知の防水ケースは、樹脂モールド品からなる第１のケース部材１と第２のケース部材２の開口端部どうしを接着剤３を併用したスナップ嵌合により連結したものであって、両ケース部材１，２に覆われることで画成される該防水ケースの内部空間Ｓに図示せぬ衛星放送受信用コンバータが収納されるようになっている。
【０００３】
第１のケース部材１の開口端部には、周方向に沿った複数箇所に係合孔４を有する筒状の内壁部５と、この内壁部５を包囲する筒状の外壁部６と、これら内壁部５および外壁部６の間に存する環状凹部７とが設けられており、環状凹部７内には予め全周に亘って過不足ない量の接着剤３が充填されている。一方、第２のケース部材２の開口端部には、第１のケース部材１の内壁部５に外挿されて環状凹部７内に配置される筒状弾性壁８と、筒状弾性壁８の内周面の周方向に沿った複数箇所から突出して第１のケース部材１の係合孔４にスナップ嵌合される突起部９とが設けられている。
【０００４】
これら第１および第２のケース部材１，２を連結する際には、環状凹部７内に接着剤３を所定量充填した後、筒状弾性壁８を図示上方から内壁部５に外挿していくことにより、各突起部９を対応する係合孔４にスナップ嵌合させる。この過程で、突起部９は、まず自身の傾斜面９ａが内壁部５の先端と係合孔４との間に存する桟部５ａに当接するので、筒状弾性壁８を環状凹部７内へ挿入していくのに伴い、桟部５ａが傾斜面９ａによって内方へ徐々に押し込まれていき、突起部９が桟部５ａを乗り越えた時点でスナップ嵌合が完了する。また、こうして各突起部９を対応する係合孔４にスナップ嵌合させると、環状凹部７内において筒状弾性壁８の先端部が接着剤３に埋設された状態となるため、この接着剤３を硬化させることによって第１および第２のケース部材１，２どうしを強固に固定することができると共に、環状凹部７内で懸念される内部空間Ｓと外部空間との連通路を接着剤３で封止して密閉性を高めることができる。
【特許文献１】特開２００１−２４４６５８号公報（第３−４頁、図５）
【発明の開示】
【発明が解決しようとする課題】
【０００５】
ところで、図３に示す従来の防水ケースにおいて、第１のケース部材１の係合孔４に第２のケース部材２の突起部９をスナップ嵌合させるときには、スナップ嵌合が完了する直前に桟部５ａが突起部９に強く押し込まれるため、同図の１点鎖線で示すように、第１のケース部材１の内壁部５が内方へ撓んで第２のケース部材２の筒状弾性壁８が外方へ撓むことになる。その結果、環状凹部７内には内壁部５と筒状弾性壁８との間に隙間が生じると共に、撓んだ筒状弾性壁８から押圧力を受ける未硬化の接着剤３が該隙間へ流入しやすくなるため、係合孔４へ到達した接着剤３が内部空間Ｓへ流れ込んで電子機器の信頼性を損なう危険性があった。
【０００６】
また、かかる従来の防水ケースでは、第１のケース部材１の軸線方向に沿って内壁部５の先端位置と外壁部６の先端位置とがほぼ揃うような形状に設定してある関係上、係合孔４を形成するために金型構造が複雑化してしまい、それゆえ安価に製造できないという問題があった。
【０００７】
本発明は、このような従来技術の実情に鑑みてなされたもので、その目的は、電子機器を収納する内部空間へ接着剤が流れ込む虞がなくて製造コストも低減できる、電子機器の防水ケースを提供することにある。
【課題を解決するための手段】
【０００８】
上述した目的を達成するため、本発明では、樹脂モールド品からなる第１のケース部材と第２のケース部材の開口端部どうしを連結して電子機器を収納する内部空間が画成される防水ケースにおいて、前記第１のケース部材の前記開口端部に、周方向に沿った複数箇所に係合孔を有する筒状の内壁部と、該内壁部を包囲する筒状の外壁部と、これら内壁部および外壁部の間に存して少なくとも内底部分に接着剤が充填される環状凹部とを設けると共に、軸線方向に沿って前記係合孔の後端位置が前記外壁部の先端位置よりも後端側に位置しないように設定し、かつ、前記第２のケース部材の前記開口端部に、前記内壁部に外挿されて前記環状凹部内に没入する筒状の薄肉部と、前記環状凹部の幅寸法と略同等の厚みを有して前記薄肉部の後端と連続し一部が前記環状凹部に挿入される筒状の厚肉部と、該厚肉部の内周面の周方向に沿った複数箇所から突出して前記係合孔にスナップ嵌合される突起部とを設ける構成とした。
【０００９】
このように構成された防水ケースでは、第２のケース部材の突起部が厚肉部に突設されているため、この突起部を係合孔にスナップ嵌合させる際に、第１のケース部材の内壁部を主に撓ませて該厚肉部はさほど撓ませないようにすることができ、こうすることで該厚肉部の先端に延設されている薄肉部の撓みも大幅に抑制されるため、環状凹部内で該内壁部と該薄肉部との間に隙間が生じても、該薄肉部の撓みによって該隙間へと押し込まれる接着剤の量は少なくなる。しかも、第１のケース部材は軸線方向に沿って係合孔の後端位置が外壁部の先端位置よりも後端側に位置しないような形状にしてあるため、環状凹部の内底面から係合孔までの距離が比較的長くなる。したがって、スナップ嵌合時に該隙間へ流入した接着剤が該係合孔を介して内部空間へ流れ込む危険性を大幅に減らすことができると共に、単純なスライドコアによって該係合孔を形成できるため金型費を抑えたコストダウンが図れる。
【００１０】
かかる構成の防水ケースにおいて、前記第２のケース部材は、前記第１のケース部材との連結時に前記突起部の傾斜面が前記内壁部の先端部に当接している段階で前記環状凹部に対する前記厚肉部の挿入が開始されるように、軸線方向に沿う該突起部と該厚肉部先端との間隔が設定されていることが好ましい。つまり、第１のケース部材の内壁部の係合孔に対して第２のケース部材の突起部をスナップ嵌合させる際には、まず該突起部の傾斜面を該内壁部の先端部に当接させて摺動させながら、該内壁部の先端と該係合孔との間に存する桟部を内方へ徐々に押し込んでいき、該突起部が該桟部を乗り越えた時点でスナップ嵌合の完了となるため、該突起部が該桟部から受ける反力はスナップ嵌合の完了直前に最大となる。したがって、該反力がまだ小さく厚肉部にほとんど撓みが生じていない段階で環状凹部に対する該厚肉部の挿入が開始されるようにしておけば、この挿入動作が円滑に行えるのみならず、該反力が最大となる段階では該厚肉部の撓みを第１のケース部材の外壁部によって規制することができるため、該厚肉部の先端に延設されている薄肉部が環状凹部内で接着剤をさほど押圧しなくなり、よって接着剤の不所望な流出を防止する効果が高まる。
【発明の効果】
【００１１】
本発明による防水ケースは、開口端部どうしが連結される一方のケース部材の内壁部に設けられた係合孔に他方のケース部材の厚肉部に設けられた突起部をスナップ嵌合させる際に、該厚肉部やその先端に延設されている薄肉部の撓みを抑制することによって、該内壁部の撓みによって生じる環状凹部内の隙間へ接着剤がさほど流れ込まないようにしてある。また、前記一方のケース部材の軸線方向に沿う外壁部と係合孔の相対位置関係に配慮することによって、環状凹部の内底面から該係合孔までの距離を比較的長く設定してあるため、スナップ嵌合時に該隙間へ接着剤が流入しても該係合孔まで到達する可能性は低い。また、該係合孔が単純なスライドコアによって形成できるため、金型構造を複雑化する必要もなくなる。それゆえ、電子機器を収納する内部空間へ接着剤が流れ込む虞がなく、製造コストも低減できる電子機器の防水ケースを提供することができる。
【発明を実施するための最良の形態】
【００１２】
実施の形態を図面を参照して説明すると、図１は本発明の実施形態例に係る防水ケースの分解斜視図、図２は該防水ケースの要部を示す説明図である。これらの図に示す防水ケース１０は、樹脂モールド品からなる第１のケース部材１１および第２のケース部材１２の開口端部（開口端１１ａ近傍および開口端１２ａ近傍）どうしを接着剤１３を併用したスナップ嵌合により連結したものであり、両ケース部材１１，１２に覆われることで画成される防水ケース１０の内部空間Ｓに図示せぬ衛星放送受信用コンバータが収納されるようになっている。
【００１３】
第１のケース部材１１の開口端１１ａ近傍には、周方向に沿った４箇所に係合孔１４を有する筒状の内壁部１５と、この内壁部１５を包囲する筒状の外壁部１６と、これら内壁部１５および外壁部１６の間に存する環状凹部１７とが設けられており、軸線方向に沿って係合孔１４の後端位置が外壁部１６の先端位置と揃うように設定されているため、内壁部１５が外壁部１６よりも開口端１１ａ側へ突出した形状になっている。また、環状凹部１７内には予め全周に亘って過不足ない量の接着剤１３が充填されている。なお、内壁部１５の先端と係合孔１４との間は桟部１５ａとなっており、この桟部１５ａを含む内壁部１５の先端外周縁にはスナップ嵌合時のガイド面となるテーパ面１５ｂが形成されている。
【００１４】
一方、第２のケース部材１２の開口端１２ａ近傍には、第１のケース部材１１の内壁部１５に外挿されて環状凹部１７内に没入する筒状の薄肉部１８と、この薄肉部１８の後端と連続して一部が環状凹部１７に挿入される筒状の厚肉部１９と、この厚肉部１９の内周面の周方向に沿った４箇所から突出して係合孔１４にスナップ嵌合される突起部２０とが設けられており、厚肉部１９の厚みは環状凹部１７の幅寸法と略同等に設定されている。また、突起部２０の傾斜面２０ａの略中央と厚肉部１９の先端（薄肉部１８の後端）との間隔ｄ２が、第１のケース部材１１のテーパ面１５ｂと係合孔１４の後端との間隔ｄ１と略同等に設定されており、これにより第２のケース部材１２は、第１のケース部材１１との連結時に突起部２０の傾斜面２０ａが内壁部１５のテーパ面１５ｂに当接している段階で、環状凹部１７に対する厚肉部１９の挿入が開始されるようになっている。
【００１５】
そして、防水ケース１０を組み立てるべく第１および第２のケース部材１１，１２を連結する際には、環状凹部１７内に接着剤１３を所定量充填した後、薄肉部１８を内壁部１５に外挿して環状凹部１７内へ押し込んでいくことにより、厚肉部１９の先端部分を環状凹部１７内へ嵌入させた状態で、各突起部２０を対応する係合孔１４にスナップ嵌合させる。この過程で、環状凹部１７内への薄肉部１８の挿入が終了する直前に突起部２０の傾斜面２０ａが内壁部１５のテーパ面１５ｂに当接し、薄肉部１８を環状凹部１７内へさらに挿入していくと、傾斜面２０ａがテーパ面１５ｂに対して摺動しながら桟部１５ａを内方へ徐々に押し込んでいくと共に、環状凹部１７内への厚肉部１９の挿入が開始される。そして、厚肉部１９を環状凹部１７内へ徐々に挿入していくと、突起部２０が桟部１５ａを乗り越えて係合孔１４内へ入り込むためスナップ嵌合が完了し、図２に示すように、環状凹部１７内において薄肉部１８の大部分が接着剤１３に埋設された状態となる。したがって、この状態で接着剤１３を硬化させることにより、第１および第２のケース部材１１，１２どうしを強固に固定することができると共に、環状凹部１７内で懸念される内部空間Ｓと外部空間との連通路を接着剤１３で封止して密閉性を高めることができる。
【００１６】
本実施形態例にあっては、第２のケース部材１２の突起部２０が厚肉部１９に突設されているため、突起部２０を係合孔１４にスナップ嵌合させる際に、第１のケース部材１１の内壁部１５が主に撓んで厚肉部１９はさほど撓まず、よって厚肉部１９の先端に延設されている薄肉部１８もさほど撓まない。また、スナップ嵌合の完了直前に、突起部２０が桟部１５ａから受ける反力が最大となるが、この時点ではすでに環状凹部１７内への厚肉部１９の挿入が開始されているので、反力を受ける厚肉部１９の撓みは第１のケース部材１１の外壁部１６によって規制されることとなり、よって薄肉部１８もほとんど撓まない。それゆえ、スナップ嵌合時に環状凹部１７内では薄肉部１８と内方へ撓む内壁部１５との間に隙間が生じるものの、薄肉部１８の撓みによって該隙間へと押し込まれる接着剤１３の量は非常に少なくする。また、第１のケース部材１１は内壁部１５が外壁部１６よりも開口端１１ａ側へ突出した形状になっており、環状凹部１７の内底面から係合孔１４までの距離が比較的長いため、接着剤１３が該隙間へ流入しても係合孔１４へ到達する可能性は低くなっている。それゆえ、スナップ嵌合時に接着剤１３が係合孔１４を介して内部空間Ｓへ流れ込む危険性が大幅に低減し、よって内部空間Ｓに配置される衛星放送受信用コンバータに接着剤１３が付着して信頼性を損なう心配がない。
【００１７】
また、本実施形態例では、スナップ嵌合時に突起部２０が桟部１５ａから受ける反力がまだ小さい段階で、環状凹部１７に対する厚肉部１９の挿入が開始されるようにしてあるため、この厚肉部１９の挿入動作は円滑に行え、組立作業に支障をきたすことはない。
【００１８】
さらに、本実施形態例にあっては、第１のケース部材１１が軸線方向に沿って係合孔１４の後端位置と外壁部１６の先端位置とを揃えた形状にしてあるため、前述したように環状凹部１７の内底面から係合孔１４までの距離が稼げるだけでなく、単純なスライドコアによって係合孔１４を形成することができ、金型構造が単純化されて製造コストを低減できる。
【００１９】
なお、上記実施形態例では、本発明を衛星放送受信用コンバータ用の防水ケースに適用した場合について説明したが、それ以外の電子機器を収納するための防水ケースに適用可能であることはいうまでもない。
【図面の簡単な説明】
【００２０】
【図１】本発明の実施形態例に係る防水ケースの分解斜視図である。
【図２】該防水ケースの要部を示す説明図である。
【図３】従来例に係る防水ケースの説明図である。
【符号の説明】
【００２１】
１０  防水ケース
１１  第１のケース部材
１２  第２のケース部材
１３  接着剤
１４  係合孔
１５  内壁部
１５ａ  桟部
１６  外壁部
１７  環状凹部
１８  薄肉部
１９  厚肉部
２０  突起部
２０ａ  傾斜面
Ｓ  内部空間
【図１】
2006019580.tif 000003
【図２】
2006019580.tif 000004
【図３】
2006019580.tif 000005